【事件の表示】
　特許第３０２１６３８号「自動写真撮影装置」の請求項１ないし５に係る特許に対する特許異議の申立てについて、次のとおり決定する。
【結　論】
　特許第３０２１６３８号の請求項１ないし４に係る特許を維持する。
【理　由】
（Ｉ）手続の経緯
　　本件特許第３０２１６３８号の特許請求の範囲の各請求項に係る発明は、平成２年２月２７日に特許出願（パリ条約による優先権主張１９８９年２月２８日、イギリス）されたものであり、平成１２年１月１４日にその発明について特許の設定登録がなされ、その後、工藤　一郎（以下、「申立人１」という。）及び石田　保（以下、「申立人２」という。）より特許異議申立てがなされ、これを受けて取消理由通知がなされ、平成１３年６月１日に訂正請求がなされ、さらに平成１３年１０月９日に当該訂正請求書に係る手続補正書が提出され、平成１３年１２月３日に取消決定され、平成１４年５月２日に当該取消決定の取消を求める訴えが東京高等裁判所に提起された。
　その後、平成１４年７月１５日に本件特許について訂正の審判が請求され、平成１４年１０月３０日に訂正を認める審決がなされ、当該審決が確定し、平成１４年１１月２８日に東京高等裁判所において、前記取消決定を取り消す旨の判決があったものである。
（ＩＩ）本件特許発明
　本件特許発明、すなわち本件の各請求項に係る発明は、平成１４年７月１５日に本件特許について訂正の審判が請求され、その後確定した訂正特許明細書及び図面の記載からみて、その特許請求の範囲に記載された次のとおりの、以下のものである。
　なお、本件特許についての前記訂正の審判において、訂正を認める旨の審決が前述のとおり確定したので、平成１３年６月１日付けの訂正請求書は取り下げられたものとみなす。
「【請求項１】撮影帯域内の被写体に含まれる使用者の操作に基づいて動作する自動写真撮影装置であって、前記撮影帯域内の被写体を撮影し、記憶可能な電子情報の形態の画像出力を発生する電子画像作成カメラと、前記カメラにより撮影された映像を含む電子情報の画像を表示するディスプレイ装置と、プリント作成信号により作動され、前記電子情報の画像のプリントを作製するプリンターと、前記電子情報を記憶し処理する制御手段とを備え、前記制御手段は、リアルタイムクロックを設けて自動撮影装置の条件を時間に関連してモニターするとともに、設備条件をモニターするためのモニター装置を備えていることを特徴とする自動写真撮影装置。
【請求項２】前記モニター装置に接続された計数装置により計数される、選択された補助的画像の数を含む、前記モニター装置によりモニターされるモニタリングデータを記憶素子に記憶させるように構成されたことを特徴とする請求項１に記載の自動写真撮影装置。
【請求項３】前記モニター装置によってモニターされるモニタリングデータを撮影場所以外で読み取りオンラインにより遠隔地に転送するように構成されたことを特徴とする請求項１に記載の自動写真撮影装置。
【請求項４】撮影帯域内の被写体に含まれる使用者の操作に基づいて動作する自動写真撮影装置であって、前記撮影帯域内の被写体を撮影し、記憶可能な電子情報の形態の画像出力を発生する電子画像作成カメラと、前記カメラにより撮影された映像を含む電子情報の画像を表示するディスプレイ装置と、プリント作成信号により作動され、前記電子情報の画像のプリントを作製するプリンターと前記電子画像情報を記憶し、処理する制御手段と、自動写真撮影装置の操作用のデータを遠隔地からオンラインにより前記制御手段に転送する手段とを備えたことを特徴とする自動写真撮影装置。」(以下、請求項順に「訂正発明１」〜「訂正発明４」という。)
（ＩＩＩ）異議申立の概要
　上記各申立人は、証拠として以下の刊行物を提示し、本件の請求項１から請求項４の各項に係る発明が、特許法第２９条第２項および同法第３６条の規定により、特許を受けることができない旨主張し、特許を取り消すべきものである旨主張している。
刊行物１：特開昭６３−２１４７３４号公報（申立人１の甲第１号証、申立人２の甲第３号証）
刊行物２：実願昭５９−１２４５２２号＜実開昭６１−４００６９号＞のマイクロフイルム（申立人１の甲第２号証）
刊行物３：実公昭４８−３２３９９号公報（申立人１の甲第３号証）
刊行物４：実願昭６０−２０２１１８号＜実開昭６２−１０９２８８号＞のマイクロフイルム（申立人１の甲第４号証）
刊行物５：実願昭５７−１５１６５６号＜実開昭５９−５８８８６号＞のマイクロフイルム（申立人１の甲第５号証）
刊行物６：実願昭６１−１７０８３８号＜実開昭６３−７６９７７号＞のマイクロフイルム（申立人１の甲第６号証）
刊行物７：特開昭６０−１０４９３１号公報（申立人１の甲第７号証）
刊行物８：特開昭６３−１２８３３０号公報（申立人１の甲第８号証）
刊行物９：特開昭６２−１８０３４６号公報（申立人１の甲第９号証）
刊行物１０：特開昭６４−２２１７６号公報（申立人１の甲第１０号証）
刊行物１１：特開昭６４−２０３１号公報（申立人１の甲第１１号証）
刊行物１２：実願昭５６−１４５９２７号＜実開昭５８−５０５７１号＞のマイクロフイルム（申立人２の甲第１号証）
刊行物１３：特開昭６１−２０９３４号公報（申立人２の甲第２号証）
刊行物１４：特開昭４７−８９７６号公報（申立人２の甲第４号証）
刊行物１５：特開昭６３−２１２９２２号公報（申立人２の甲第５号証）
刊行物１６：特開昭６１−２２４０９４号公報（申立人２の甲第６号証）
刊行物１７：特開昭５９−１２１４６８号公報（申立人２の甲第７号証）
（ＩＶ）刊行物の記載
刊行物１：特開昭６３−２１４７３４号公報
ａ、撮影レンズを共通にするスチルカメラとビデオカメラと、そのビデオカメラによつて撮影したビデオ信号を画像化するモニタテレビとを同一筺体内に設け、長尺フイルムを収納したフイルムマガジンを着脱自在に装着するセルフモニタ付写真撮影装置において、上記フイルムマガジン内にフイルム残量を示す減算式電子カウンタを設けると共に、該フイルムマガジンと上記写真撮影装置の本体とに、両者間でフイルム巻上げ及びフイルム残量等の情報を光通信によつて授受する手段を設けたことを特徴とするセルフモニタ付写真撮影装置。（第１頁左欄第５〜１６行）
ｂ、本体１の前面には例えば焦点距離が７０〜１０５ｍｍ、口径比２.８のズームレンズからなる撮像レンズ１０１と、後述するモニタテレビのモニタ画面１０２（ブラウン管面）とが同一方向に向けて近接して配置されている。（第２頁右下欄第１７行〜第３頁左上欄第１行）
ｃ、撮影レンズ１０１の上方には、被写体照明用のエレクトロニツク・フラツシユが充電完了して撮影準備が整つたことを知らせる例えば緑色の充電完了ランプ１０３と、被写体となる人物が操作するリモコン操作部のレリーズボタンを押した直後に、短時間明滅（フラツシング）して被写体の視線をモニタ画面１０２から撮影レンズ１０１の方向に向けさせるための例えば赤色の視線誘導ランプ１０４とが設けられている。（第３頁左上欄第２〜１０行）
ｄ、また、本体１の背面には、第３図に示すようにフイルム残量を警告する警告ブザー１１２、フイルムを巻回したフイルムマガジン４が完全に装填されていない時にそれを警告する警告ランプ１１３、減算式のマガジンカウンタが所定の残量値になつたことを警告する警告ランプ１１４、フイルムが無くなつたことを警告する警告ランプ１１５、シヤツタの作動回数をカウントして３桁の７セグメントＬＥＤによつて表示するフオトカウンタ１１６、フオトカウンタ１１６を０にリセツトするリセツトボタン１１７がその上半部に設けられている。（第３頁左上欄第１６行〜右上欄第７行）
ｅ、なお、撮影レンズ１０１の後方には光軸に対して４５度の角度でハーフミラーが固設され、このハーフミラーを透過した光線をスチルカメラ１５０のレンズシヤツタを介してフイルム面に導くと共に、ハーフミラーで反射した光線をビデオカメラ１５２の縮小レンズを介してＣＣＤを用した固体撮像素子に導いている。（第３頁右下欄第８〜１４行）
ｆ、被写体Ｓが第２のリモコン操作部６１０を手にして椅子５０２に腰かけると、フイルム面の画像と同様の映像が左右逆像でモニタ画面１０２に映し出される。（第６頁左下欄第６〜９行）
ｇ、ここで新らたに図示されているビデオフリーズ回路１６０は、撮影レンズ１０１内のシヤツタがレリーズして、被写体像がスチルカメラ１５０に装填されたフイルムマガジン内のフイルムに撮影される直前のビデオ信号をフリーズ（固定）して、モニタテレビ１４０にスチル静止画像を映すための回路であり、その詳細は後述する。（第７頁左上欄第２〜８行）
ｈ、したがつて、ビデオカメラ１５２は、フイルムＦに撮影される画面と全く同じ範囲の像をＣＣＤ２０によつてビデオ信号に変換し、それをビデオ信号フリーズ回路１６０を経て左右反転し、カラーのモニタテレビ１４０のＣＲＴ画面上に映し出す。（第７頁右下欄第１１〜１６行）
ｉ、そこで、マガジン４が取出されると、マイクロスイツチ１９０がオフになり、その信号によつてマガジンロツク解除ソレノイド駆動回路１８１の作動が停止し、ソレノイド４４４への通電を断つ。したがつて、フツク４４１はばねの付勢力によつてロツク位置へ復帰する。また、マイクロスイツチ１９０がオフの時には、マガジン未装填の警告ランプ１１３を点灯させる。（第９頁左下欄第１８行〜右下欄第５行）
ｊ、次に、フイルムマガジン４内の回路について説明する。マガジン４内には、減算式電子カウンタ（以下「減算カウンタ」という）４６０及びそれに関連する各回路が設けられており、これらは全て内蔵の電池４６１によつて給電されて動作する。この減算カウンタ４０８は、新規のフイルムを装填した時及びマニユアルリセツトボタン４６２が押された時に所定の初期値例えば「９０３」にリセツトされる。また、このカウンタ４６０のカウント値は、第７図に示した表示ボタン４０７が押されて表示スイツチ４０７Ｓがオンされると、３桁のＬＥＤによる表示部４０６に表示される。４６３は、第８図に示したピン４１８によつて作動される蓋開閉検知用のマイクロスイツチで、第８図の蓋体４２０を閉じて第７図の固定ネじを締め付けるとオンになり、蓋体４２０を開くとオフになる。（第１０頁左上欄第９行〜右上欄第６行）　
ｋ、フイルム有無検出回路４６６は、マイクロスイツチ４６３がオンで、リードスイツチ４６４がオン又はオフのまま（リングマグネツト４６４が回転しない）時にカウントパルス受信回路４６８からカウントパルスが入力した時、フイルムの巻上げ動作が行なわれたのに、スプロケツト４１３が回転しないのでフイルム無しと判定して、単パルスを出力する。このパルスをマガジン状態発信回路４７１が入力すると、ＬＥＤ４７２を１回短時間点灯してフイルム無しを本体１側へ知らせる。（第１０頁左下欄第３〜１３行）
ｌ、それを本体１側のマガジン状態判別回路１８４が判別すると、フイルム無しの警告ランプ１１５を点灯すると共に、警報ブザー１１２を比較的長い周期で（ピーピーピーと）発音させてそれを知らせ、シヤツタ有効判定回路１７３にも無効の信号を送る。（第１０頁左下欄第１４〜１９行）
ｍ、また、このフイルム装填検出回路４６７は、フイルム有無検出回路４６６からフイルム無しの検出信号（単パルス）が入力されるとそれを記憶し、（第１０頁右下欄第１２〜１４行）
ｎ、また、減算カウンタ４６０の値がある値、例えば「１０３」になると、フイルム残少検出回路４７８がそれを検出し、残少信号発生回路４７７が例えば３連のパルスによる残少信号を発生する。マガジン状態発信回路４７１がそれを入力すると、ＬＥＤ４７２を３回点滅してそれを本体１側に知らせる。本体１側のマガジン状態判別回路１８４は、それによつてマガジン４のフイルム残量が少ないことを判別して、フイルム残少警告ランプ１１４を点灯させ、ブザー１１２を比較的短かい周期で（ピピピピ・・・・・・と）所定時間だけ（例えば２秒間）発音させてそれを知らせる。（第１１頁左上欄第１８行〜右上欄第１０行）
　上記ｃ及びｆの記載及び第１３図から見て、刊行物１には、「撮影帯域内の被写体Ｓに含まれる使用者の操作に基づいて動作する自動撮影装置」が開示されている。
  上記ｅ、ｇ及びｈの記載から見て、刊行物１には、「前記撮影帯域内の被写体Ｓを撮影し、記憶可能な電子情報の形態の画像出力を発生するビデオカメラ１５２」が開示されている。
  上記ｂ及びｆの記載から見て、刊行物１には、「前記カメラにより撮影された映像を含む電子情報の画像を表示するモニタテレビ１４０」が開示されている。
　上記ｇ及びｈの記載から見て、刊行物１には、「前記電子情報を記憶し処理するビデオ信号フリーズ回路１６０」が開示されている。
  上記ｄ、ｊ、ｋ、ｌ、ｍ及びｎの記載から見て、刊行物１には、フィルム残量、マガジンカウンタが所定の残量値になったこと、フィルムが無くなったことなどを警告するシステムが開示されている。
  してみると、刊行物１には、「撮影帯域内の被写体Ｓに含まれる使用者の操作に基づいて動作する自動撮影装置であって、前記撮影帯域内の被写体Ｓを撮影し、記憶可能な電子情報の形態の画像出力を発生するビデオカメラ１５２と、前記カメラにより撮影された映像を含む電子情報の画像を表示するモニタテレビ１４０と、前記電子情報を記憶し処理するビデオ信号フリーズ回路１６０と、フィルム残量、マガジンカウンタが所定の残量値になったこと、フィルムが無くなったことなどを警告するシステムとを備えている自動写真撮影装置」が開示されている。
刊行物２：実願昭５９−１２４５２２号＜実開昭６１−４００６９号＞のマイクロフイルム）
・「本考案は、例えば顧客の顔等を、ビデオカメラを介して画像記憶し、この画像の輪郭及び/又はグラデーシヨン（階調）を色々に変化させることにより、例えば似顔絵風の画像に編集合成し、更に必要に応じて、この編集合成された画像に、カセツトテープあるいはフロツピデイスク等から入力された情報、例えば住所氏名等を追加合成して、これを例えば葉書等に自動印刷し販売するようにした、自動印刷販売機に関する。」（第１頁第１６行〜第２頁第４行）
・「第１図及び第２図において、１は映像情報を入力するためのＩＴＶカメラ乃至はビデオカメラ（以下、ビデオカメラで代表する。）、２はビデオカメラ１を介して入力された、例えば顧客の顔等の映像情報をモニタするためのブラウン管（以下、モニタ用ＣＲＴという。）で、このモニタ用ＣＲＴ２には、印刷されるべき映像情報も表示される。」（第５頁第１４行〜第６頁第１行）
・「前記ビデオカメラ１及びモニタ用ＣＲＴ２は、映像信号処理部５を介して、映像内容の再編集機構部６に接続され、更に、この機構部６を介してマイクロコンピユータ（以下、ＣＰＵという。）７に連繋している。」（第６頁第６〜１０行）
・「１９はＣＰＵ７に連繋された印刷機構部で、この印刷機構部１９を介して、前記メモリ１８に格納された各画像が印刷される。」（第７頁第１９行〜第８頁第１行）
刊行物３：実公昭４８−３２３９９号公報）
・「映写装置において映写を開始しようとする時に映写ランプが断線していると非常に困るものである。映写を開始する前に、故障の表示が出て予め故障を知るとか、あるいは他の故障処理手段が作動することが好ましい。例えば硬貨等を投入して自動的に映写をさせる自動映写装置においては、硬貨を投入しても正常な映写のできない故障時には鑑賞者の損失を防ぐために硬貨投入前に何らかの方法で映写不能であることを知らせることが要求される。この種の映写装置には種々の故障があり、それぞれの故障に対して故障表示の何らかの手段が講じられなければならない。本考案はその種々の故障の中で、光源の断線故障を映写前に検出して表示する装置等の故障処理手段を備えた映写装置を提供せんとするものである。」（第１欄第２４〜３７行）
刊行物４：実願昭６０−２０２１１８号＜実開昭６２−１０９２８８号＞のマイクロフイルム）
・「種々のデータを表示する外部表示器と、該表示器の表示操作を行なう操作手段と、各箇所の故障を検知する検知手段と、予めの故障の発生しやすい箇所をコード化して記憶させておく第１記憶領域と故障箇所に対応するコードを記憶させる第２記憶領域と該コードに対応する故障箇所及び修理手順を記憶させておく第３記憶領域を有する記憶手段と、前記検知手段により故障を検知すると前記記憶手段の第１記憶領域より該当する故障コードを読出して第２記憶領域に書込む書込手段と、前記操作手段が操作されたとき、前記記憶手段の第２記憶領域に記憶されている故障コードを読出すとともに、該コードに対応する故障箇所及び修理手段を前記第３記憶領域より読出す読出手段とを備え、前記操作手段により読出した内容を前記外部表示器に表示するようにしたことを特徴とする自動販売機の表示装置。」（実用新案登録請求の範囲）
刊行物５：実願昭５７−１５１６５６号＜実開昭５９−５８８８６号＞のマイクロフイルム）
・「収納されている商品の在庫数を記憶する在庫数記憶手段と、該在庫数を表示させるときに押圧する在庫数表示スイツチと、商品の補充数を入力して表示させるときに押圧するスイツチと、該補充数と前記在庫数とを加算し加算結果を補充後の在庫数として前記在庫数記憶手段に記憶させる手段と、前記在庫数と前記補充数とを表示する複数桁の表示器とを備えた自動販売機用商品在庫管理装置。」（実用新案登録請求の範囲請求項１）
刊行物６：実願昭６１−１７０８３８号＜実開昭６３−７６９７７号＞のマイクロフイルム
・「自動販売機に使用される蛍光灯の点灯時間をカウント値として計数するカウント手段と、予め蛍光灯の寿命時間を記憶する記憶手段と、前記カウント手段によりカウントされた蛍光灯の点灯時間が記憶手段に記憶された寿命時間を上回つたときに所定の信号を出力する制御手段と、前記制御手段より信号が出力されたときに蛍光灯の寿命を知らせる表示手段とを備えたことを特徴とする自動販売機の蛍光灯寿命検知装置。」（実用新案登録請求の範囲）
刊行物７：特開昭６０−１０４９３１号公報
・「印画紙のプリント作業に必要な諸作動条件値を設定するためそれぞれのチヤンネルに対して、使用されるべき印画紙、現像液等の基準値を記憶させるためのＩ／Ｏコントロール、ＣＰＵ、ＲＯＭ，ＲＡＭ及びバツクアツプを含む外部記憶装置と、前記外部記憶装置の記憶内容から選択された所要の内容を呼出して前記バツクアツプにセンタリングするための操作キー装置と、前記操作キー装置により前記バツクアツプにセンタリングされた内容を表示するデイスプレー装置とを含むカラープリンターの制御装置において、前記外部記憶装置に対して接続、離隔可能の別のバツクアツプを設け、前記別のバツクアツプと前記外部記憶装置のバツクアツプとの間で前記操作キー装置によつてセンタリングされた内容のトランスフアーを行うことによつて、前記外部記憶装置のバツクアツプにセンタリングされた内容の予備の作製、さらに他の基準値設定のためのチヤンネル数の増加、及び印画紙、現像液等の既に記憶されているものと同様の基準値のセンタリングの所要時間の短縮を可能となしたことを特徴とするカラープリンターの制御装置。」（特許請求の範囲）
刊行物８：特開昭６３−１２８３３０号公報
・「かかる観点から、ＲＯＭ（コード）基板をカメラに装着できるようにし、このＲＯＭ基板をカメラに装着することによって、＊露出モードの確定＊ファインダ表示の要否の確定＊フィルム枚数が残り少なくなった際の警告の要否の確定等、カメラが有する多くの機能から、ユーザーのニーズに適合した特定の機能を選択的に指定するようにしたカメラが提案されている（特開昭５４−１０７３３９号公報参照）。」（第２頁左上欄第７〜１５行）
刊行物９：特開昭６２−１８０３４６号公報
・「３は上記操作ボード１に設けられた例えば液晶ディスプレイよりなる表示装置、４は操作ボード１の下端に設けられ、すべての操作終了後に残金を返却する残金返却装置である。」（第３頁左下欄第５〜８行）
・「６００はマイクロコンピュータであり、このマイクロコンピュータはＣＰＵ６０１、ＲＡＭ６０２、単位時間あたりの画像表示料金及び１枚あたりのプリント料金などが記憶されたＲＯＭ６０３、入力ポート６０４、出力ポート６０５、及びクロックを含み、上記金銭処理手段４００、プリント枚数入力手段５００及び終了ボタン６又は中止ボタン７からの出力信号が各々Ａ／Ｄ変換器６１、６２、６３によりデジタル信号に変換され、入力ポート６０４を介して入力され、上記シャッタ駆動装置１１８、ミラー駆動装置３０５、表示装置３、残金返却装置４及びスイッチ８の各々の駆動回路７１、７２、７３、７４、７５に出力ポート６０５を介して駆動信号を出力する。」（第３頁左下欄第１２行〜右下欄第５行）
・「そして、ＲＯＭ６０３に記憶されている１枚あたりのプリント料金にプリント枚数を乗じたプリント料金の総額と残金とが比較され、残金が不足している時は、出力ポート６０５から料金投入催促信号が表示装置の駆動回路７３に出力され、表示装置３が追加料金投入の催促を一定時間（例えば２０秒）表示する。」（第４頁右上欄第１７行〜左下欄第３行）
刊行物１０：特開昭６４−２２１７６号公報
・「（３）はＥＶＦで、上記映像信号および各種の警告信号をＣＲＴ上に画面表示する。」（第１頁右欄第１９行〜第２頁左上欄第１行）
刊行物１１：特開昭６４−２０３１号公報
・「カメラの種々の動作機能を各々サブルーチンとして有する１チップマイクロコンピュータを備えた全自動カメラにおいて、外部装置と接続され上記１チップマイクロコンピュータのメモリと外部装置とで通信を行なわせる通信手段と、この通信手段により外部装置で指定されるサブルーチンのアドレスをスタックに書き込むスタック書き込み手段と、このスタック書き込み後に上記指定されたサブルーチンを実行させるべくリターン命令を実行するリターン実行手段と、を具備してなることを特徴とする全自動カメラ。」（特許請求の範囲）
刊行物１２：実願昭５６−１４５９２７号＜実開昭５８−５０５７１号＞のマイクロフイルム
・「本考案は、クロマキー編集機を利用して電気的に合成写真を簡単に作ることを目的とし、背景として予め静止画が記録されたリードオンリ・メモリの中から所望の静止画を選択してこれを映像信号に変換する背景選択再生手段と、対象物をテレビカメラにより撮影して所定方式の映像信号に変換する撮像手段と、これらの背景選択再生手段の映像信号と撮像手段の映像信号とを加えて合成映像信号を作成するクロマキー編集機と、この合成映像信号より合成画像を表示するモニタテレビ受像機とを有することが特徴である。」（第１頁第１７行〜第２頁第７行）
・「（１）は、背景として予め静止画が記録されたリードオンリ・メモリの中からセレクタ（２）により選択された静止画を所定方式（例えばＮＴＳＣ方式）の映像信号に変換する背景再生装置である。」（第２頁第１４〜１８行）
・「セレクタ（２）は、図では押釦式を示しているが、ダイヤル式でもよく、使用者はこれを操作することによつて所望の背景を選択しうるようにする。」（第３頁第１〜４行）
・「（４）は、使用者（１４）を撮影するためのテレビカメラで、その撮像出力が所定方式（例えばＮＴＳＣ方式）の映像信号でない場合は、プロセツサ（３）によつて所定方式の映像信号に変換する。すなわち、テレビカメラ（４）とプロセツサ（３）とは撮像手段を構成する。（５）は、背景選択再生手段（１，２）からの映像信号と撮像手段（３，４）からの映像信号とを加えて合成映像信号を作成するクロマキー編集機」（第４頁第１〜８行）
・「（６）は、クロマキー編集機（５）が作成した合成映像信号によつて背景と使用者との合成画像を表示するモニタテレビ受像機」（第５頁第２〜４行）
・「（７）は、投入された通貨を検出して本自動撮影機を起動させる通貨検出スイツチである。（８）は、クロマキー編集機（５）により合成された映像信号を目的に応じて小型磁気デイスク（１２）等に記録するための静止画像記録装置である。（９）は、合成画像をカラー写真（１３）にするカラープリンタである。（１０）は、使用者（１４）が例えば「ＯＫ」のような所定の音声を出したとき、この声をマイクロホン（１１）を介して受信し所定の音声かどうかを識別し静止画像記録装置（８）やカラープリンタ（９）を始動させるスタート信号を発生する音声識別スイツチである。」（第５頁第１１行〜第６頁第１行）
・「使用者（１４）は、まず通貨を通貨検出スイツチ（７）の投入口に入れ、背景となるべき静止画をセレクタ（２）によつて選択し、青色のスクリーン（１５）を背にしてテレビカメラ（４）の前に立つ。自動写真撮影機は動作を開始し、使用者（１４）がモニタテレビ受像機（６）の合成画面をみながら丁度よい時に「ＯＫ」と声を出すと、カラープリンタ（９）が動作を開始し、所望の合成写真が作り出される」（第６頁第７〜１０行）
刊行物１３：特開昭６１−２０９３４号公報
・「このフィルムユニット１０を用いる場合には、一対の展開ローラを有するカメラバックに、このフィルムパック１３を装填し、まず遮光シート１４の下端部１５を引き出す。これにより、遮光シート１４が引き抜かれ撮影可能状態になると共に、最初のフィルムユニット１０に一端が接着されているタブ６が、引出し開口から突出する。そして、感光シート１に露光を与えた後このタブ６を引き出すと、ユニット引出し端５（第１図参照）が展開ローラの間から突出し、この時点で前記タブ６がフィルムユニット１０から剥離される。その後、前記のようにして突出されているユニット引出し端５を引くと、一対の展開ローラの間に引出しシート３と搬送シート４とが重なった状態で進入してくる。さらにユニット引出し端５が引かれると、現像液ポッド７が展開ローラで押しつぶされ、現像液が感光シート１と受像シート２との間に流れ出すと共に、これら両シート１，２が展開ローラで加圧されながら引き出されるので、感光シート１に形成されたネガ像が、ポジ像として受像シート２に転写される。そして、感光シート１と受像シート２とが展開ローラ間を通過し終わると、次のフィルムユニット１０に接着されているタブ６の先端部が引出し開口から突出される。なお、タブ６は、展開ローラとは別の部分から突出される。そして、引き出された感光シート１と受像シート２とを、所定時間の経過の後に引き剥がすと、受像シート２面に最終のプリント画像が得られることになる。」（第２頁右下欄第１１行〜第３頁左上欄第１９行）
・「前記フィルムパック１３が用いられる写真自販機の一例を第３図に示す。この写真自販機２０を利用して写真撮影を行う場合には、まず、利用者が撮影窓２１を利用してフレーミングを確認した後、コイン投入口２２から所定のコインを投入する。コインの投入が確認されると、所定時間の経過の後、撮影窓２１の奥に配置されているカメラによって撮影が行われる。なお、この際に照明窓２３からは照明光が与えられる。こうして撮影が終了すると、写真自販機２０の内部に設けられているフィルムユニット自動引出し装置が作動し、前述したようにしてフィルムユニットの引出しが行われ、密着された感光シート１と受像シート２とが取り出し口２４に排出される。」（第３頁左上欄第２０行〜右上欄第１３行）
・「前記スライダ７３には、パック送りレバー７６が固定され、その先端にはパック送り爪７７、マイクロスイツチ７８が取り付けられている。」（第５頁左上欄第１４から６行）
・「表示ランプやブザーなどの警報装置１１４」（第６頁左上欄第１１〜１２行）
・「パック送りレバー７６が新たなフィルムパック１３を送り込む際に、マイクロスイッチ７８がフィルムパックの側面に当接することから、そこでパック検出信号が得られる。この信号は、新たなフィルムパック１３が確実に撮影位置に固定されるまでの時間の経過の後、カウンタ１０５の計数値を「０」にリセットすると共に、ユニット引出し装置５５を作動させる。こうして、ユニット引出し装置５５が作動されると、新たなフィルムパック１３の遮光シート１５（第１図、第８図参照）が引き出され、以後の撮影準備が完了することになる。一方、上記の作動において、マイクロスイツチ７８からフィルムパックの検出信号が得られないと、表示回路１１３を介して警告装置１１４が作動し、フィルムパックを補充する必要があることを警告表示する。」（第６頁右下欄第１９行〜第７頁左上欄第１５行）
刊行物１４：特開昭４７−８９７６号公報）
・「本発明は、利用者が自由に出入り出来るような仕切り室と、この仕切り室に接続するキヤビネツトとより構成され、反転紙の一部分を露出せしめる装置と、光源装置並びに前記紙を現像しこれを利用者に提供する装置を有するような、コイン又は小円板片等の挿入により写真版の撮影及び現像操作の出来る自動装置に係る。」（第１頁右欄第１５行〜第２頁左上欄第１行）
・「第１図及び第２図において、参照番号１は本発明による自動写真撮影装置を内蔵せる外装体を示し、この外装体には、利用者が自由に出入り出来る仕切り室を構成する空間（Ａ）と仕切り４で仕切り室より分離されたキヤビネツト（Ｂ）とが有る。このキヤビネツトにはドアー３を介して外部より自由に出入りが出来更に仕切り壁４の一部を構成するパネル５を通じて、仕切り室よりも自由に出入りが出来るようになつている。」（第２頁右下欄第１９行〜第３頁左上欄第７行）
・「仕切りパネル５には、被写体に照明をあたえる複数の光源電燈９と、撮影を実施する中央窓１０と、夫々１つ又はそれ以上の作動プログラムの選択を可能ならしめるような複数のコイン又は小円板片の受領装置１１と、本装置の作動段階及びサイクルの進展段階を示す複数の照光シグナルを設けた表示パネル１２とが保持されている。キヤビネツト（Ｂ）の内部には、」（第３頁左上欄第１３〜２０行）
・「この頂部プレート上には、被写体撮影のための写真撮影装置部１６と、感光紙用マガジン１７と、殆んど全部の電気部品を装入せる電気関係装置部１８並びにプログラム装置が配置されている。この頂部プレート１５の下方には、露出済みの紙を送る装置部２０が配置され、現像と反転及び定着用の処理液を入れた複数のタンク２１にそつて夫々の紙部分を送るように構成されており、・・・装置１９が、露出済みの紙を写真撮影装置部より回収しこれを送り装置に送り込むようになつており、作動サイクルが終つた時もう１つの装置２９により送り装置からこの紙が回収され圧搾されて乾燥され、更に利用者に引き渡されるものであり利用者はキヤビネツトの外部ドアー３上に位置する受け口８内の写真版をとり上げることが出来るのである。」（第３頁右上欄第３行〜左下欄第３行）
・「別々の小型バスケツトを保持する前記ハブプレート４７にはその中心に垂直スリーブ９１が取付けられ、このスリーブは下方に延び更に下部駆動機構９３に接続された垂直スプラインシヤフト９２上に摺動自在に配置されている。第２シヤフト９２がプレート４７より上方に突出し前記シヤフト９２の上端をおおつている。前記駆動装置部９３はベルト駆動９５を介してモーター９４により回転出来るよう配置され、モーター９４が中間軸９７にキー止めした溝付きプーリー９６を駆動し、このプーリー９６はチエーン駆動９９並びに２本のスプロケツト９８、１００を経由して入力軸１０１に結合される。前記入力軸１０１上には、ヘリカルギヤー１０３に連繋作動するウオームギヤー１０２がキー止めされており、このヘリカルギヤー１０３は横方向軸１０４にキー止めされ、この軸の反対端には輪郭カム１０５がキー止めされており、横方向軸１０４に平行な軸１０８に枢着した揺動レバー１０７の螺子１１７により張り出すように構成せる遊びローラー１０６に連繋作動するようになつている。前記揺動レバー１０７の先端には有歯扇形部１０９が設けられ、この扇形部はもう１つの横軸１１１に設けたギヤー１１０と噛合い、その横軸には大直径のプーリー１１２がキー止めされておりこのプーリーには１１３で固定されたローラーチエーン１１４があり、このチエーンはプーリー上に部分的に吊りかかつている。このチエーン１１４は上部遊びプーリー１１５上を張架され前記ハブプレート４７に締めつけた滑動スリーブ９１の基部材１１６上に係止されている。プーリー１１２が正逆いづれかの方向に回転すると前記送り装置２０並びに対応する小型バスケットがそれにつれ上昇又は下降する。前記カム１０５は複数のノツチ１１８を有し、小形バスケツト並びに紙が処理液に浸されている間前記送り装置部２０に対して複数回の交番上下振動をあたえるように構成してある。カム１１９が前記ヘリカルギヤー１０３に一体に構成され、このカム内には、水平ピン１２２上に枢着せる半月形レバー１２１により張り出すように保持された遊びローラー１２０が係合する。このレバー１２１の自由端には、突出し且つ揺動するピン１２３が設けられ、その自由端はタイロツド１２４により垂直ピン１２５に接合され、この垂直ピンは垂直軸９２の基部上で揺動するよう構成した一定形状のレバー１２６により保持されている。レバー１２６は星状の歯を有するギヤー１２７と歯止め状の歯を有する第２ギヤー１２８との間におかれ、この両方のギヤーは前記垂直軸９２と一体に構成されており、第２ギヤー１２８はレバー１２６のピン１３０上に蝶番結合された揺動歯止め１２９に連繋作動する。ヘリカルギヤー１０３の回転によりカム１０５が回転し、これによりレバー１０７が揺動する。このレバー１０７の揺動によりプーリー１１２が交番揺動し、これによりスリーブ９１並びに送り装置部２０の上昇下降の交番運動が決められる。これと同時に、ヘリカルギヤー１０３の回転により半月形レバー１２１が揺動され、これにより回転の都度遊びレバー１２６が移動され更にこのため前述の歯止め装置により垂直軸が１ステツプ丈回転し前述せる交番上下移動と組合はせられた小型バスケツトの間欠的角度移動が決定される。前記ヘリカルギヤー１０３に対してノツチ１３２ａを有するもう１つの円筒形カム１３２が一体に構成され、レバー１３４により張り出すように保持された遊びローラー１３３がこのカムに係合しており、レバー１３４は四分円ギヤーレバー１０７の前記軸１０８上に枢着されている。レバー１３４は強力な捩りスプリング１３５により平行レバー１３６に接続され、この平行レバー１３６の基部には垂直枢着点を有し前記軸９２に一体に構成された下部ギヤー１２７の星状歯に連繋作動するようになつているローラー１３７が保持される。この２個の平行レバー１３４、１３６は、ローラー１３３がカム１３２のノツチ１３２ａに係合する都度同時に揺動し、底部ローラー１３７を星状ギヤー１２７より引込ませ軸９２を１ステツプ丈回転させる。この星状ギヤー１２７の２つの相隣れる歯の間のノツチ部にローラー１３７が戻ると、軸９２がその回転角度位置で錠止めされる。」（第５頁右下欄第３行〜第６頁右下欄第５行）
・「第２２図に示すように、駆動モーター９４の駆動プーリーと反対方向の軸１７１の端部には、スプリングで互に接続された複数の偏心錘り１７２が保持され、これらの錘りは回転中遠ざかり固定小型スイツチ１７３に係合する。若し、何等かの原因例えば機械の故障等でモーターの速度が所定値より降下するものとすると、上記の走行錘りが再び回転中心に近接し小型スイツチより離脱し本装置全体を停止せしめ更に視覚的警告器を作動させる。」（第７頁左下欄第１５行〜右下欄第４行）
刊行物１５：特開昭６３−２１２９２２号公報
・「撮影中にビデオ信号の形で記憶させた写真映像を、電子式プリンタ６１を用いて陽画にして、比較や選択を行うことができ、また、撮影が終了した時に、上記電子式プリンタ６１を用いて、注文の処理、及び、支払いのための情報を印刷することもできる。」（第９頁右下欄第３〜８行）
刊行物１６：特開昭６１−２２４０９４号公報
・「この発明は、自動販売に関する販売情報をはじめとする各種計数情報を記録することのできる自動販売機の販売情報記録装置に関する。」（第１頁右欄第３〜５行）
・「１−１　１−２　・・・，１−ｎは自動販売機（不図示）からの入力信号を本販売情報記録装置で読み取り可能な信号レベルに変換する入力変換部（入力インタフェース）であり、その出力端子はそれぞれマルチプレクサ２に接続されている。マルチプレクサ２は中央制御部３に接続されており、中央制御部３からの選択信号（読み出し信号）によりマルチプレクサ２を通じて上述の入力信号が順次読み込まれる。・・・５は上述の自動販売機から得られる入力情報（入力信号）の意味付けをあらかじめ記憶している判定情報領域と、販売計数等のカウントデータを記憶し、保持するための計数領域とを有する読み書き自由のランダムアクセスメモリ（ＲＡＭ）である。また、６は伝送インターフェース（Ｉ／Ｆ）であり、中央制御部３と外部記録計等の外部装置７とのインターフェイス用として用いられ、本装置で使用する判定情報の読み取りや計数情報の出力を行なう。」（第２頁左下欄第１５行〜右下欄第１７行）
・「第１図の本装置で扱う入力信号の個々についての使用目的、例えば販売計数、品切れ計数、および釣切れ計数等の機能情報（計数すべき情報のデータ区分コード）」（第３頁左上欄第１７〜２０行）
・「ＲＡＭ５に、伝送Ｉ／Ｆ６を介してルートマンの携帯する情報収集器を接続することによってＲＡＭ５の内容がその情報収集器に転写され、その情報収集器をルートマンが営業所に持ち帰ってデータ処理器に接続することによりデータ処理器に入力され、自動販売機の運営上のデータとして供されるようにしてもよい。」（第４頁右下欄第５〜１１行）
刊行物１７：特開昭５９−１２１４６８号公報
・「本発明の一実施態様によると、作動に関するデータを発生する装置用のデータ収集システムが提供され、このデータ収集システムはデータ収集手段を含んでおり、又、このデータ収集手段が該作動データを取り込むことができ取り外し可能なデータ記憶モジユールを有している。」（第５頁左上欄第１８行〜右上欄第４行）
・「本発明はデータ収集手段が後述されるように現金又はクレジツト取扱い装置の作動に関する処理データを収集する会計手段であるような会計システムの分野において特に有効である。しかしながら、本発明は、又後述の如く他の分野においても有効である。」（第５頁右上欄第１３〜１８行）
・「自動販売機２により実行される処理に関する情報は会計コントローラ２０に送られる。モジユール２４は処理データが書き込まれる会計コントローラ２０内に挿入できる。モジユール２４は取り外すことができ、後に、離れて配置されるデータ取り出し装置２６内に挿入される。このデータ取り出し装置２６は処理データをモジユール２４より読出し、プリンタ２８を使つて処理の記録を印字する。モジユール２４は例えば百前後の記憶番地を有するＥＡＲＯＭである。モジュール２４が会計コントローラ２０内に挿入される前に、これら記憶番地のほとんどは空、即ちゼロになつている。しかしながら後述されるよう、２つの番地はセキユリテイコードを含んでいる。会計コントローラ２０は、モジユール２４を受ける為の電気コネクタを有している。モジユール２４は挿入の際電気コネクタの接点に短絡するリンクを含んでいる。会計コントローラ２０はこの短絡を検知し、これをモジユール２４へのデータ転送の開始要求として認識する。・・・データ転送によつてモジユール２４は次のデータを記憶する。（ａ）識別データ・・・例えば使用されている特定の販売装置８、コイン処理装置４、会計コントローラー２０を識別する数字。更に自動販売機を使用している特定の顧客を識別する情報。（ｂ）現金データ・・・受け入れられた現金額、キヤツシユボツクスに送られた額、釣銭として分配された額、そしてコインの貯蔵チユーブに送られた額を示す情報。（ｃ）製品データ・・・分配された各製品の数と恐らく各種オプシヨンが選択された回数。例えば、ホツトドリンクデイスペンサでは、この製品データはコーヒーの分配回数や砂糖等のオプシヨンの選択回数を含んでいる。（ｄ）サービスデータ・・・自動販売機が誤つたか誤りそうであるかを決定できるような自動販売機の作動履歴を示すデータ。このデータは、自動販売機の各種部品のいずれか又は全てにおいて出力不足のあつた回数や各機械部品が自動販売機の作動期間中に働いた回数等を含む。このサービスデータは又コイン処理装置が何回取り替えられたかを示す情報のような自動販売機の履歴に関するデータを含んでいる。更に、サービスデータは何回自動販売機がサービスされたかやそのサービスの理由を示す情報を含んでいる。例えば、販売装置がカツプを補充したり、排せつ物入れを空にしたりする為何回開かれたかを記録できる。」（第９頁右上欄第３行〜右下欄第２０行）
・「（ｂ）と（ｃ）に関する情報は前回の会計が実施された以降発生した処理を示す中間データと長期間、例えば自動販売機設置以降にわたつて実行された全ての処理を表わす総データの相方を含んでいる。全てこのデータは、会計コントローラ２０内のバツテリ電源のＲＡＭよりモジユール２４へと転送される。更に会計コントローラ２０はセキユリテイコードを含むモジユール２４の記憶番地内に所定の指示コードを書き込めるようになつている。後になつて、モジユール２４がデータ取り出し装置２６内に挿入される時、データはモジユールより読み出され処理の記録を印字する為使用される。」（第１０行左上欄第１２行〜右上欄第６行）
・「本発明の会計システムは自動販売機だけではなく両替機、娯楽又はゲーム機等のような他の装置にも使用できる。」（第１９頁右下欄第８〜１０行）
（Ｖ）対比・判断
　訂正発明１
　訂正発明１と刊行物１記載の発明とを比較すると、後者の「被写体Ｓ」、「ビデオカメラ１５２」、「モニタテレビ１４０」、「ビデオ信号フリーズ回路１６０」は、夫々前者の「被写体」、「電子画像作成カメラ」、「ディスプレイ装置」、「制御手段」に相当するから、両者は、撮影帯域内の被写体に含まれる使用者の操作に基づいて動作する自動写真撮影装置であって、前記撮影帯域内の被写体を撮影し、記憶可能な電子情報の形態の画像出力を発生する電子画像作成カメラと、前記カメラにより撮影された映像を含む電子情報の画像を表示するディスプレイ装置と、前記電子情報を記憶し処理する制御手段とを備えていることを特徴とする自動写真撮影装置で一致し、
Ａ前者は、プリント作成信号により作動され、前記電子情報の画像のプリントを作製するプリンターを有するのに対して、後者は、そのような構成を有しない点、
Ｂ前者は、制御手段が、リアルタイムクロックを設けて自動撮影装置の条件を時間に関連してモニターするとともに、設備条件をモニターするためのモニター装置を備えているのに対して、後者は、フィルム残量、マガジンカウンタが所定の残量値になったこと、フィルムが無くなったことなどを警告するシステムを備えている点で相違する。
　そこで、相違点Ａについて検討すると、刊行物２（実願昭５９−１２４５２２号＜実開昭６１−４００６９号＞のマイクロフイルム）には、「１９はＣＰＵ７に連繋された印刷機構部で、この印刷機構部１９を介して、前記メモリ１８に格納された各画像が印刷される。」（第７頁第１９行〜第８頁第１行）との記載があり、刊行物１２（実願昭５６−１４５９２７号＜実開昭５８−５０５７１号＞のマイクロフイルム）には、「（７）は、投入された通貨を検出して本自動撮影機を起動させる通貨検出スイツチである。（８）は、クロマキー編集機（５）により合成された映像信号を目的に応じて小型磁気デイスク（１２）等に記録するための静止画像記録装置である。（９）は、合成画像をカラー写真（１３）にするカラープリンタである。（１０）は、使用者（１４）が例えば「ＯＫ」のような所定の音声を出したとき、この声をマイクロホン（１１）を介して受信し所定の音声かどうかを識別し静止画像記録装置（８）やカラープリンタ（９）を始動させるスタート信号（本件請求項１に係る発明の『プリント作成信号』に相当する。）を発生する音声識別スイツチである。」（第５頁第１１行〜第６頁第１行）との記載がある。
　刊行物１、刊行物２及び刊行物１２に記載された発明は、非常に近接した技術分野に属するものであるから、刊行物２または１２に記載された発明を刊行物１に記載された発明に適用することは当業者なら容易に推考できたものと認められる。
　また、当該適用によって格別顕著な作用効果が生ずるものとも認められない。
  次に、相違点Ｂについて検討すると、フィルム残量、マガジンカウンタが所定の残量値になったこと、フィルムが無くなったことなどを警告するシステムが、設備条件をモニターするためのモニター装置の一実施例であると言えるから、設備条件をモニターするための装置が実質的に刊行物１に開示されているが、「リアルタイムクロックを設けて自動撮影装置の条件を時間に関連してモニターする」ことは、いずれの刊行物にも開示されていない。
　訂正発明１は、この構成を有することによって明細書記載の作用効果を奏するものであるから、当業者といえども、各刊行物に基づいて容易に発明することができたとは言えない。
　訂正発明２〜３
　訂正発明２〜３は、訂正発明1の構成を前提とし、さらに新たな構成を付加したものである。
　よって、訂正発明２〜３と各刊行物記載の発明とを比較すると、前記相違点Ｂが存在するから、訂正発明１の相違点Ｂについての判断の理由により、訂正発明２〜３は、各刊行物に記載された発明に基づき当業者が容易に発明できたものと認めることはできない。
　訂正発明４                            　
　訂正発明４と刊行物１記載の発明とを比較すると、後者の「被写体Ｓ」、「ビデオカメラ１５２」、「モニタテレビ１４０」、「ビデオ信号フリーズ回路１６０」は、夫々前者の「被写体」、「電子画像作成カメラ」、「ディスプレイ装置」、「制御手段」に相当するから、両者は、撮影帯域内の被写体に含まれる使用者の操作に基づいて動作する自動写真撮影装置であって、前記撮影帯域内の被写体を撮影し、記憶可能な電子情報の形態の画像出力を発生する電子画像作成カメラと、前記カメラにより撮影された映像を含む電子情報の画像を表示するディスプレイ装置と、前記電子情報を記憶し処理する制御手段とを備えていることを特徴とする自動写真撮影装置で一致し、
Ａ前者は、プリント作成信号により作動され、前記電子情報の画像のプリントを作製するプリンターを有するのに対して、後者は、そのような構成を有しない点、
Ｃ前者は、自動写真撮影装置の操作用のデータを遠隔地からオンラインにより前記制御手段に転送する手段を備えているのに対して、後者は、そのような構成を有しない点で相違する。
　そこで、相違点Ａについて検討すると、刊行物２（実願昭５９−１２４５２２号＜実開昭６１−４００６９号＞のマイクロフイルム）には、「１９はＣＰＵ７に連繋された印刷機構部で、この印刷機構部１９を介して、前記メモリ１８に格納された各画像が印刷される。」（第７頁第１９行〜第８頁第１行）との記載があり、刊行物１２（実願昭５６−１４５９２７号＜実開昭５８−５０５７１号＞のマイクロフイルム）には、「（７）は、投入された通貨を検出して本自動撮影機を起動させる通貨検出スイツチである。（８）は、クロマキー編集機（５）により合成された映像信号を目的に応じて小型磁気デイスク（１２）等に記録するための静止画像記録装置である。（９）は、合成画像をカラー写真（１３）にするカラープリンタである。（１０）は、使用者（１４）が例えば「ＯＫ」のような所定の音声を出したとき、この声をマイクロホン（１１）を介して受信し所定の音声かどうかを識別し静止画像記録装置（８）やカラープリンタ（９）を始動させるスタート信号（本件請求項１に係る発明の「プリント作成信号」に相当する。）を発生する音声識別スイツチである。」（第５頁第１１行〜第６頁第１行）との記載がある。
　刊行物１、刊行物２及び刊行物１２に記載された発明は、非常に近接した技術分野に属するものであるから、刊行物２または１２に記載された発明を刊行物１に記載された発明に適用することは当業者なら容易に推考できたものと認められる。
　また、当該適用によって格別顕著な作用効果が生ずるものとも認められない。
  次に、相違点Ｃについて検討すると、刊行物１１に外部装置と全自動カメラの１チップマイクロコンピュータのメモリを接続することが記載されている。
　しかしながら、刊行物１１においては、「本発明は、このような問題点に鑑み、小型、軽量性を損うことなく、１チップマイクロコンピュータを使用し、しかもこのマイクロコンピュータ内に予め僅かのプログラムを組み込んでおき、カメラのすべての機能を外部装置のプログラムにより引き出せるようにした全自動カメラを提供することを目的とする。」（第２頁左上欄第３〜９行）、「外部装置１３は、シリアル通信によりＣＰＵ２１のＲＡＭのデータの読み書きおよび特定の処理を行なうための装置である。」（第５頁左下欄第８〜１０行）、「外部装置１３はメーカ側では工場での調整チェック、ユーザ側ではカメラ機能の拡張用オプションなどに用いられることが考えられる。」（第５頁左下欄第１６〜１８行）、「第１６図は外部装置１３に組み込んだプログラムの一例で、３回の多重露光を行なう場合のフローチャートである。」（第１０頁左上欄第１８〜２０行）、「第１７図は外部装置に組み込んだプログラムの他の例で、遠隔レリーズを行なう場合のフローチャートである。」（第１０頁右下欄第１〜３行）、及び「第１８図は外部装置１３に組み込んだプログラムの更に他の例で、カメラをセットして１時間後にレリーズ処理を行なう場合のフローチャートである。」（第１０頁右下欄第１３〜１６行）との記載、さらには、図面第２図の外部装置１３と全自動カメラ１１との間を結ぶ接続コードが短いことから見て、図面第２図に示された状態で用いられるものと認められる。
　してみれば、相違点Ｃの構成を備えているとは言えない。
　また、他の刊行物には、相違点Ｃの構成はまったく開示されていない。
　訂正発明４は、この相違点Ｃの構成を有することによって明細書記載の作用効果を奏するものであるから、当業者といえども、各刊行物に基づいて容易に発明することができたとは言えない。　
　記載不備について
　申立人２の主張する記載不備は、訂正審判により確定した訂正明細書及び図面の内容からみて、理由のないものとなった。
（ＶＩ）むすび
　以上のとおりであるから、特許異議申立の理由及び証拠方法によっては、本件の請求項１〜４に係る発明の特許を取り消すことはできない。
　また、他に本件の請求項１〜４に係る発明の特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１２月３日（２００１．１２．３）